(57)【要約】【課題】シート状物の積層体を安定させ、折りの乱れや転倒を防止し、裁断時には安定して裁断することが可能な包装体の製造方法、及び包装体を提供することを目的とする。【解決手段】シート状物の積層体が収容された包装体の製造方法であって、複数の原反ロールから送り出された連続シートを順に折り重ねて積層体を形成する折り・積層工程Ｓ１と、積層体をフィルム状物で包装する第１包装工程Ｓ２と、フィルム状物で包装された積層体を裁断する裁断工程Ｓ３と、裁断された積層体を包装して包装体とする第２包装工程Ｓ４とを有する。【選択図】図１
2020185129.tif 000002
【特許請求の範囲】
【請求項１】
シート状物の積層体が収容された包装体の製造方法であって、
複数の原反ロールから送り出された連続シートを順に折り重ねて積層体を形成する折り・積層工程と、
前記積層体をフィルム状物で包装する第１包装工程と、
前記フィルム状物で包装された前記積層体を裁断する裁断工程と、
前記裁断された積層体を包装して包装体とする第２包装工程と
を有することを特徴とする包装体の製造方法。
【請求項２】
前記包装体内の前記積層体は乾式シートからなることを特徴とする請求項１に記載の包装体の製造方法。
【請求項３】
前記包装体内の前記積層体は湿式シートからなり、前記第１包装工程の前に前記連続シートを薬液中に含浸する含浸工程を有することを特徴とする請求項１に記載の包装体の製造方法。
【請求項４】
前記フィルム状物には、裁断時の位置合わせのための印が付与されていることを特徴とする請求項１乃至請求項３の何れか１項に記載の包装体の製造方法。
【請求項５】
前記フィルム状物には接着用部材が形成され、前記第２包装工程において前記フィルム状物と前記包装体の包装部材の内側とを接着することを特徴とする請求項１乃至請求項４の何れか１項に記載の包装体の製造方法。
【請求項６】
シート状物の積層体が収容された包装体であって、
当該包装体は、少なくとも、
シート状物の積層体と、
前記積層体を包むフィルム状物と、
当該包装体の外装を形成し、前記フィルム状物の外側を包む包装部材とを備えることを特徴とする包装体。
【請求項７】
前記フィルム状物の外側と前記包装部材の内側との少なくとも一部が接着されていることを特徴とする請求項６に記載の包装体。
【発明の詳細な説明】
【技術分野】
【０００１】
本発明は、シート状物の積層体が収容された包装体の製造方法、及び包装体に関する。
【背景技術】
【０００２】
ティッシュペーパーのような乾式シートの積層体、及び、ウェットティッシュのような湿式シートの積層体などからなるシート状物の積層体は、一態様として、複数の原反ロールから送り出された連続シートを複数の折り板装置によって折り畳みながら積層することにより製造される。
【０００３】
例えば、特許文献１には、連続する複数枚の基布を複数個の折り板装置によって縦方向に折り畳み、かつ、隣接する上下の基布が互いに重なりを有するように折り合わせて重畳構造を形成するとともに、液体を含浸し、かつ、縦方向に切断して積層ウェットティッシュペーパーを形成し、液体不透過性で、かつ、取出口を有する包装袋に封入するウェットティッシュ包装体の製造方法が記載されている。
【０００４】
このような、多連機（マルチスタンド）型の製造装置を用いて積層体を製造する場合、原反ロールは数十メートルの長さのものを用いるため、原反ロールから送り出される連続シートの積層体の長さも数十メートルとなる。また、積層枚数も数十枚から場合によっては１００枚を超えるような場合もあるため、積層体自体が不安定となり、積層体の折りが乱れたり、倒れたりする恐れがあった。また、積層体を裁断する際にも、シートが任意の長さに切れなかったり、裁断が真っすぐ切れず積層体の形が長方形ではなく、台形や、平行四辺形のようないびつな形となってしまう場合もあった。
【先行技術文献】
【特許文献】
【０００５】
【特許文献１】特開２００１−２８６４１０号公報
【発明の概要】
【発明が解決しようとする課題】
【０００６】
そこで、本発明は、このような従来の実情に鑑みて提案されたものであり、シート状物の積層体を安定させ、折りの乱れや転倒を防止し、裁断時には安定して裁断することが可能な包装体の製造方法、及び包装体を提供することを目的とする。
【課題を解決するための手段】
【０００７】
上述した目的を達成する本発明の一態様は、シート状物の積層体が収容された包装体の製造方法であって、複数の原反ロールから送り出された連続シートを順に折り重ねて積層体を形成する折り・積層工程と、積層体をフィルム状物で包装する第１包装工程と、フィルム状物で包装された積層体を裁断する裁断工程と、裁断された積層体を包装して包装体とする第２包装工程とを有する。
【０００８】
本発明の一態様によれば、積層体を裁断する前に積層体をフィルム状物で包装するため、シート状物の積層体が安定し、折りの乱れや転倒を防止し、裁断時には安定して裁断することが可能となる。
【０００９】
このとき、本発明の一態様では、包装体内の積層体は乾式シートからなるとしてもよい。
【００１０】
乾式シートは湿式シートに比べて軽いため、不安定になりやすいが、本発明の一態様に係る包装体の製造方法を適用することにより、安定性を向上させることができる。
【００１１】
あるいは、このとき、本発明の一態様では、包装体内の積層体は湿式シートからなり、第１包装工程の前に連続シートを薬液中に含浸する含浸工程を有するとしてもよい。
【００１２】
湿式シートの場合であっても、同様に安定性を向上させることができるとともに、２重に包装するため薬液の蒸発を防止することもできる。
【００１３】
また、本発明の一態様では、フィルム状物には裁断時の位置合わせのための印が付与されているとしてもよい。
【００１４】
位置合わせのための印を付与することにより、裁断箇所がずれてしまうのを防止することができる。
【００１５】
また、本発明の一態様では、フィルム状物には接着用部材が形成され、第２包装工程においてフィルム状物と包装体の包装部材の内側とを接着するとしてもよい。
【００１６】
フィルム状物と包装体の包装部材の内側とを接着することで、包装部材の内部でフィルム状物が動いてシートが取り出しにくくなることを防止することができる。
【００１７】
本発明の他の態様は、シート状物の積層体が収容された包装体であって、当該包装体は、少なくとも、シート状物の積層体と、積層体を包むフィルム状物と、当該包装体の外装を形成し、フィルム状物の外側を包む包装部材とを備える。
【００１８】
上述した本発明の一態様に係る包装体の製造方法により製造された包装体はこのような構成となる。
【００１９】
このとき、本発明の他の態様では、フィルム状物の外側と包装部材の内側との少なくとも一部が接着されているとしてもよい。
【００２０】
上述したように、フィルム状物と包装体の包装部材の内側とを接着することで、包装部材の内部でフィルム状物が動いてシートが取り出しにくくなることを防止することができる。
【発明の効果】
【００２１】
以上説明したように本発明によれば、シート状物の積層体を安定させ、折りの乱れや転倒を防止し、裁断時には安定して裁断することが可能となる。
【図面の簡単な説明】
【００２２】
【図１】本発明の一実施形態に係る包装体の製造方法におけるプロセスの概略を示す工程図である。
【図２】（Ａ）、（Ｂ）は、本発明の一実施形態に係る包装体の製造方法における製造装置の概略を示す概念図である。
【図３】本発明の一実施形態に係る包装体の斜視図である。
【図４】本発明の一実施形態に係る包装体の長手方向の断面図である。
【発明を実施するための最良の形態】
【００２３】
以下、本発明の好適な実施の形態について図面を参照しながら詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００２４】
本発明の一実施形態に係る包装体の製造方法について説明する。図１は、本発明の一実施形態に係る包装体の製造方法におけるプロセスの概略を示す工程図であり、図２（Ａ）、（Ｂ）は、本発明の一実施形態に係る包装体の製造方法における製造装置の概略を示す概念図である。本発明の一態様は、シート状物の積層体が収容された包装体の製造方法であって、複数の原反ロールから送り出された連続シートを順に折り重ねて積層体を形成する折り・積層工程Ｓ１と、積層体をフィルム状物で包装する第１包装工程Ｓ２と、フィルム状物で包装された積層体を裁断する裁断工程Ｓ３と、裁断された積層体を包装して包装体とする第２包装工程Ｓ４とを有する。以下、各工程について説明する。
【００２５】
折り・積層工程Ｓ１は、複数の原反ロールから送り出された連続シートを順に折り重ねて積層体を形成する工程である。積層体の形成には、例えば、多連機（マルチスタンド）型の製造装置が用いられる。一般的に多連機（マルチスタンド）には、積層体の積層枚数分の原反ロールと折り板装置が設けられ、各原反ロールから送り出された連続シートが各折り板装置によって折り畳まれるとともに、各連続シートの折片の間に他の連続シートの折片を挿入することにより、シートを順に折り重ねていく。原反ロールは通常、数十メートルの長さのものを用いるため、折り・積層工程Ｓ１で折り重ねられた連続シートの積層体の長さも数十メートル程度の長さとなる。
【００２６】
第１包装工程Ｓ２は、折り・積層工程Ｓ１で折り重ねられた連続シートの積層体をフィルム状物で包装する工程である。この、第１包装工程Ｓ２が従来の包装体の製造方法にはない１つの特徴的な工程である。
【００２７】
連続シートの積層体をフィルム状物で包装する手段としては、熱収縮性を有するフィルム状物により積層体を包装し、その後、加熱により積層体の形状に密着させるシュリンク包装を用いることができる。あるいは、包装フィルムを筒状に包装し、積層体をシールするような方法でも良い。包装は、一般的なピロー包装機を用いてもよいし、特殊な包装機を作成してもよい。また、第１包装工程Ｓ２で包装を行う際に、積層体をプレスしながら包装すると、より積層体の安定度を向上させることができる。第１包装工程Ｓ２で包装するフィルム状物は、柔軟で気密性及び不透水性を有するシート、例えばポリエチレン、ポリプロピレン、ポリエステル、ポリアミド、ポリ塩化ビニル等の合成樹脂の単材又は複合材で形成されている。
【００２８】
本発明では、最終的な製品としての包装体からシート部材が取り出せるよう、フィルム状物には、ミシン目又は取出口が形成されている。内側のフィルム状物に積層体が取り出せるよう、ミシン目又は取出口を形成することにより、フィルム状物が形成された状態でも従来の包装体と同様に使用することができる。また、フィルム状物には、少なくとも一部にゴム系またはオレフィン系のホットメルト等の接着剤や、両面テープ、又は、セロハンテープ等の片面に接着剤が付いたテープ等の接着部材が備えられていてもよい。
【００２９】
このように積層体を裁断する前に積層体をフィルム状物で包装することにより、シート状物の積層体が安定し、折りの乱れや転倒を防止し、裁断時には安定して裁断することが可能となる。
【００３０】
裁断工程Ｓ３は、フィルム状物で包装された積層体を裁断する工程である。裁断機は、シート状物の積層体の製造分野で用いられている一般的な裁断機を用いればよい。裁断工程Ｓ３では、シート状物の積層体に巻かれたフィルムごと積層体を裁断し、任意の長さの積層体とする。
【００３１】
このとき、フィルム状物には、裁断時の位置合わせのための印が付与されていてもよい。このようにすることにより、裁断箇所が明確になる。裁断時の位置合わせのための印としては、例えば、光電管マークを付すことが好ましい。
【００３２】
第２包装工程Ｓ４は、裁断された積層体を包装して包装体とする工程である。第２包装工程Ｓ４で用いられる包装機についても、シート状物の積層体の製造分野で用いられている一般的な包装機を用いればよい。ピロー型の包装体であれば、ピロー包装を行い、紙ボックス型の包装体であれば、紙容器に上述した積層体を包装する。
【００３３】
また、第１包装工程Ｓ２におけるフィルム状物に接着部材を設けている場合には、第２包装工程Ｓ４の前後、または並行してフィルム状物と、包装体の包装部材の内側とを接着させる。接着部材がホットメルト系の接着剤であれば加熱により接着させることができるため簡易で好ましいが特に限定はされない。上述したように、両面テープ、又は、セロハンテープ等の片面に接着剤が付いたテープ等の接着部材により、包装部材の内側とフィルム状物とを接着してもよい。フィルム状物と包装部材とを接着されることにより、フィルム状物で巻かれたシート状物の積層体が包装部材に対しても固定されるため、中身が安定し、また、包装部材に設けられた取出口とフィルム状物の取出口の位置がずれるということを防止することもできる。
【００３４】
また、シート状物が湿式シートの場合には、第１包装工程Ｓ２の前に、含浸工程Ｓ５を有する。含浸工程Ｓ５は、連続シートを薬液中に含浸する工程である。含浸工程Ｓ５は、図２（Ａ）に示すように、折り・積層工程Ｓ１の後に行ってもよいし、図２（Ｂ）に示すように、折り・積層工程Ｓ１の前、又は並行して行ってもよい。薬液は、水、アルコール、香料、化粧水、薬剤、界面活性剤等から１又は複数選択される溶液であり、含浸する装置は、シート状物の積層体の製造分野で用いられている一般的な装置を用いればよい。
【００３５】
次に、本発明の一実施形態に係る包装体について説明する。図３は、本発明の一実施形態に係る包装体の斜視図であり、図４は、本発明の一実施形態に係る包装体の長手方向の断面図である。本発明の一態様は、シート状物の積層体１１が収容された包装体１０であって、当該包装体は、少なくとも、シート状物の積層体１１と、積層体１１を包むフィルム状物１２と、当該包装体１０の外装を形成し、フィルム状物１１の外側を包む包装部材１３とを備える。このような包装体１０は、例えば、上述したような包装体の製造方法によって製造される。
【００３６】
シート状物の積層体１１は、乾式シート、湿式シートのいずれでもよい。乾式シートとしては例えばティッシュペーパー等であり、湿式シートとしては例えばウェットティッシュ等である。これらのシートは、パルプ、綿、合成繊維などからなる不織布、天然パルプ、合成パルプなどからなる紙、又はガーゼ等の布など湿潤強度を有する繊維素材等からなる。また、湿式シートの場合は、シートに、水、アルコール、香料、化粧水、薬剤、界面活性剤などの液体成分、又は溶液を含浸させる。
【００３７】
シート状物の積層体１１は、例えば、折り畳んだウェットティッシュを重なり合わさないで積層した携帯用製品が挙げられる。または、上述に限らず、例えば、シートの一枚一枚が互いに重なりあって折り畳まれており、連続してシートを本体部の取出口から取り出せる、いわゆるポップアップ式となるように包装体に収納されていてもよい。包装体に収容する湿式シートとしては、化粧落とし、幼児のお尻拭き、掃除用のウェットシート等であってもよい。
【００３８】
フィルム状物１２は、包装体１０内部の積層体１１を包むものである。上述したように、フィルム状物１２は、包装体の製造時にシート状物の積層体が乱れたり倒れたりしないように積層体１１を包装して安定させるためのものであるが、そのまま製品用の包装体１０の内部に残すことができる。フィルム状物１２を備えることにより、包装体１０の搬送時や陳列時にも内部の積層体１１が崩れることを防止できるため、製品としての見栄えもよくなる。フィルム状物１２には、ミシン目又は取出口１４を設けておき、使用時には、フィルム状物１２のミシン目又は取出口１４を破ることにより、シート状物を取り出すことができる。さらに、積層体１１が湿式シートの場合などにはフィルム状物１２にフラップラベルを付けてもよく、このようにするとよりシートからの薬液の蒸発をより防止することができる。
【００３９】
また、フィルム状物１２には、上述したような接着部材１５をその一部に備え、フィルム状物１２の外側と包装部材１３の内側との少なくとも一部が接着されているとしてもよい。このように、フィルム状物１２と包装体１０の包装部材１３の内側とを接着することで、包装部材１３の内部でフィルム状物１２が動いてシートが取り出しにくくなることを防止することが出来る。このような観点から接着部材１５は、包装部材１３の取出口２１に対応する面に備えられることが好ましい。この時、当然、ミシン目又は取出口１４の近辺には接着部材１５は設けないようにする。
【００４０】
包装部材１３は、柔軟で気密性及び不透水性を有するシート、例えばポリエチレン、ポリプロピレン、ポリエステル、ポリアミド、ポリ塩化ビニル等の合成樹脂の単材又は複合材で形成されている。包装部材１３は、上述に限らず、上述の合成樹脂とアルミホイル、紙等とを貼りあわせた複合材からなるものであってもよい。例えば、ＰＥＴ（ポリエチレンテレフタレート）層、ＰＰ（ポリプロピレン）層、ＰＥ（ポリエチレン）層等にアルミニウムやシリカなどを蒸着させたフィルム等が挙げられる。この包装部材１３は、フィルムの長手方向の両端部がシールされた、いわゆるピロータイプの包装体であり、その内部には、シート状物の積層体が封入されている。
【００４１】
なお、包装部材１３は、上述のようないわゆるピロータイプに限らず、柔軟で気密性及び不透水性を有するシート状のものからなり、その内部にシート状物の積層１１体を収容できる包装体１０であれば、どのようなものであってもよい。
【００４２】
また、包装体１０には、適宜、内部のシート状物を取り出すための取出口２１、未使用時に包装体内部を塞ぐための蓋体２２、包装体内部を密封するために両端に形成されるシール部２３などが備えられる。
【００４３】
以上の通り、本発明の各実施形態及び各実施例について詳細に説明したが、本発明の新規事項及び効果から実体的に逸脱しない多くの変形が可能であることは、当業者には、容易に理解できるであろう。従って、このような変形例は、全て本発明の範囲に含まれるものとする。
【００４４】
例えば、明細書又は図面において、少なくとも一度、より広義又は同義な異なる用語と共に記載された用語は、明細書又は図面のいかなる箇所においても、その異なる用語に置き換えることができる。また、包装体の製造方法、及び包装体の構成も本発明の各実施形態及び各実施例で説明したものに限定されず、種々の変形実施が可能である。
【符号の説明】
【００４５】
１０  包装体、１１  積層体、１２  フィルム状物、１３  包装部材、１４  ミシン目又は取出口、１５  接着部材、２１  取出口、２２  蓋体、２３  シール部
【図１】
2020185129.tif 000003
【図２】
2020185129.tif 000004
【図３】
2020185129.tif 000005
【図４】
2020185129.tif 000006
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
シート状物の積層体が収容された包装体の製造方法であって、
複数の原反ロールから送り出された連続シートを順に折り重ねて積層体を形成する折り・積層工程と、
前記積層体をミシン目又は取出口が形成されたフィルム状物で包装する第１包装工程と、
前記フィルム状物で包装された前記積層体を裁断する裁断工程と、
前記裁断された積層体を包装して包装体とする第２包装工程と
を有し、
前記第２包装工程では、両端部がシールされたピロータイプの包装体を形成することを特徴とする包装体の製造方法。
【請求項２】
前記包装体内の前記積層体は乾式シートからなることを特徴とする請求項１に記載の包装体の製造方法。
【請求項３】
前記包装体内の前記積層体は湿式シートからなり、前記第１包装工程の前に前記連続シートを薬液中に含浸する含浸工程を有することを特徴とする請求項１に記載の包装体の製造方法。
【請求項４】
前記フィルム状物には、裁断時の位置合わせのための印が付与されていることを特徴とする請求項１乃至請求項３の何れか１項に記載の包装体の製造方法。
【請求項５】
前記フィルム状物には接着用部材が形成され、前記第２包装工程において前記フィルム状物と前記包装体の包装部材の内側とを接着することを特徴とする請求項１乃至請求項４の何れか１項に記載の包装体の製造方法。
【請求項６】
シート状物の積層体が収容された包装体であって、
当該包装体は、少なくとも、
シート状物の積層体と、
前記積層体を包む、ミシン目又は取出口が形成されたフィルム状物と、
当該包装体の外装を形成し、前記フィルム状物の外側を包む包装部材とを備え、
前記包装部材は、両端部がシールされたピロータイプの包装体であることを特徴とする包装体。
【請求項７】
前記フィルム状物の外側と前記包装部材の内側との少なくとも一部が接着されていることを特徴とする請求項６に記載の包装体。
【手続補正２】
【補正対象書類名】明細書
【補正対象項目名】０００７
【補正方法】変更
【補正の内容】
【０００７】
上述した目的を達成する本発明の一態様は、シート状物の積層体が収容された包装体の製造方法であって、複数の原反ロールから送り出された連続シートを順に折り重ねて積層体を形成する折り・積層工程と、積層体をミシン目又は取出口が形成されたフィルム状物で包装する第１包装工程と、フィルム状物で包装された積層体を裁断する裁断工程と、裁断された積層体を包装して包装体とする第２包装工程とを有し、第２包装工程では、両端部がシールされたピロータイプの包装体を形成する。
【手続補正３】
【補正対象書類名】明細書
【補正対象項目名】００１７
【補正方法】変更
【補正の内容】
【００１７】
本発明の他の態様は、シート状物の積層体が収容された包装体であって、当該包装体は、少なくとも、シート状物の積層体と、積層体を包む、ミシン目又は取出口が形成されたフィルム状物と、当該包装体の外装を形成し、フィルム状物の外側を包む包装部材とを備え、包装部材は、両端部がシールされたピロータイプの包装体である。